(57)【要約】  インパルス型表示装置と液晶シャッタメガネからなる立体映像視聴システムにおいて生じる観測映像の画面内での輝度の不均一を抑制し、高品位な立体視を可能とする立体映像制御装置を提供する。  入力映像信号から右眼用映像及び左眼用映像を表示させるための輝度信号を生成して表示手段に出力する映像処理手段を有し、映像処理手段は、液晶シャッタ眼鏡のシャッタの立上り期間又は立下り期間における透過率不足分を補償するように、予め決められた所定数の垂直ラインの該垂直ライン上の画素に対応した映像信号に、各垂直ラインの位置に応じて輝度を増加させる補正値を演算することにより輝度信号を生成する。
2011108310.tif 000002
【特許請求の範囲】
【請求項１】
インパルス型の表示手段に右眼用映像と左眼用映像とを時分割で交互に表示させ、その切換えに同期して、シャッタ眼鏡の左右のシャッタを交互に開閉させることにより、立体映像を視聴させる立体映像制御装置であって、
立体映像を表示させるための映像信号を入力する入力手段と、
前記映像信号から右眼用映像及び左眼用映像を表示させるための輝度信号を生成して前記表示手段に出力する映像処理手段とを有し、
前記表示手段は、所定の垂直走査期間で、走査開始する走査ラインから走査終了する走査ラインまで、走査ラインを順次選択することにより画面上に映像を形成し、
前記映像処理手段は、前記走査開始する走査ライン及び前記走査終了する走査ラインの少なくとも何れかから所定数の走査ラインの該走査ライン上の画素の輝度を、各走査ラインの位置に応じて、前記所定数の走査ライン以外の走査ライン上の画素に対して、相対的に増加させるように前記映像信号を補正することを特徴とする立体映像制御装置。
【請求項２】
前記所定数の走査ラインは、前記シャッタの立上り期間及び立下り期間の少なくとも何れかに基いて決められる請求項１記載の立体映像制御装置。
【請求項３】
前記映像処理手段は、前記画面の最上部の前記走査を開始する走査ラインから下方に位置する前記所定数の走査ラインまでの該走査ライン上の画素に対応した映像信号に、前記最上部から下方に向かって単調減少する補正値を乗算することにより前記輝度信号を生成する請求項１又は２記載の立体映像制御装置。
【請求項４】
前記入力手段と前記映像処理手段とを連携制御する制御手段を有し、
前記制御手段は、前記垂直走査期間を変えずに、前記走査ライン毎に各走査ライン上の画素に対応する最大輝度信号に基いて、少なくとも１フレーム毎に各走査ラインの水平走査期間を決定する請求項１乃至３記載の立体映像制御装置。
【請求項５】
前記垂直走査期間は、垂直ブランキング期間を有し、該垂直ブランキング期間は、前記シャッタの立下り期間に基いて決定される請求項１乃至４記載の立体映像制御装置。
【請求項６】
インパルス型の表示手段に右眼用映像と左眼用映像とを時分割で交互に表示させ、その切換えに同期して、シャッタ眼鏡の左右のシャッタを交互に開閉させることにより、立体映像を視聴させる立体映像制御方法であって、
立体映像を表示させるための映像信号を入力する入力ステップと、
前記映像信号から右眼用映像及び左眼用映像を表示させるための輝度信号を生成して前記表示手段に出力する生成ステップとを有し、
前記表示手段は、所定の垂直走査期間で、走査開始する走査ラインから走査終了する走査ラインまで、走査ラインを順次選択することにより画面上に映像を形成し、
前記生成ステップでは、前記走査開始する走査ライン及び前記走査終了する走査ラインの少なくとも何れかから所定数の走査ラインの該走査ライン上の画素の輝度を、各走査ラインの位置に応じて、前記所定数の走査ライン以外の走査ライン上の画素に対して、相対的に増加させることを特徴とする立体映像制御方法。
【発明の詳細な説明】
【技術分野】
【０００１】
本発明は、インパルス型表示装置を用いて表示される映像を立体映像として視聴可能な立体映像制御装置及び方法に関する。
【背景技術】
【０００２】
映像表示装置で右眼用映像(right eye image)と左眼用映像(left eye image)とを時分割で交互に表示し、その切換えに同期して左右のシャッタを交互に開閉するシャッタ眼鏡を通して映像を見ることで、立体映像が視聴可能な立体映像視聴システムが知られている。【０００３】
下記特許文献１には、右眼用映像と左眼用映像とを２フレーム毎に交互に表示させることにより、フレームレートを高めたときに発生するクロストークを抑制した立体映像表示装置が記載されている。
【先行技術文献】
【特許文献】
【０００４】
【特許文献１】特開２００９−３１５２３号公報
【発明の概要】
【発明が解決しようとする課題】
【０００５】
インパルス型表示装置で表示された立体映像を、液晶シャッタメガネを通して、観測映像として立体視する場合の課題について説明する。表示装置は、マトリクス状に配置された画素を、所定のアドレス期間（走査選択期間）毎に、走査ライン上の画素を順次選択することにより、1フレームの映像を形成する。インパルス型表示装置とは、アドレス期間で点灯された画素の輝度が１フレームに亘ってホールドされることなく、アドレス期間内で画素の点灯及び消灯が行われる方式で映像を形成する表示装置である。アドレス期間の始まりに同期して点灯した画素の輝度は、映像信号に基いた輝度まで達し、その後アドレス期間の終了に同期した消灯により、それぞれの表示素子固有の、1フレーム期間より短い残光期間を経てゼロとなる。代表的なものとしては、ＣＲＴやＦＥＤ（電界放出型ディスプレイ）、ＤＬＰ（Digital Light Processing）である。【０００６】
図８（ａ）、（ｂ）は、線順次駆動により形成された映像の表示期間とシャッタ開閉タイミングとの関係を示している。フレーム周波数は１２０Ｈｚとする。フレーム毎に左目用映像（左フレーム）と右目用映像（右フレーム）とが交互に表示される。左右フレームに同期して左右のシャッタが開閉する。【０００７】
液晶シャッタは、ノーマリホワイトモードの場合には、閉から開の応答速度（立上り期間）が開から閉の応答速度（立下り期間）よりも遅く、それぞれ２．５ｍｓ、５００μｓｅｃ程度である。ノーマリブラックモードの場合は、立上りと立下りとが逆の関係となる。【０００８】
シャッタの立上り及び立下り期間の両方を垂直ブランキング期間（以下、ブランキング期間）内に収めようとすると、ブランキング期間が垂直走査期間の１／４以上を占めることになる。その結果、水平走査期間が短くなるため、パルス幅変調により階調表示する場合には、表示輝度が低下するとともにダイナミックレンジも狭くなる。【０００９】
図８（ｂ）に示すように、ブランキング期間をシャッタの立下り期間に一致するように設定すると、シャッタの立上り期間の２ｍｓｅｃ分は表示期間に入り込んでしまう。その結果、シャッタ透過率は３０％減少し、観測映像としては、図８（ｃ）のように、画面の上部２８０ライン分の領域に帯状の暗い部分が発生する。
また、同様に、ノーマリブラックモードの場合、ブランキング期間をシャッタの立上り期間に一致するように設定し、次のブランキング期間にシャッタが閉じるように設定すると、シャッタの立下り期間の２ｍｓｅｃ分は表示期間に入り込んでしまう。その結果、シャッタ透過率は３０％減少し、観測映像としては、図８（ｃ）とは逆に、画面の下部２８０ライン分の領域に帯状の暗い部分が発生する。【００１０】
従来のインパルス型表示装置と液晶シャッタメガネからなる立体映像視聴システムでは、このような観測映像の画面内での輝度の不均一が生じていた。
【課題を解決するための手段】
【００１１】
本発明の立体映像制御装置は、インパルス型の表示手段に右眼用映像と左眼用映像とを時分割で交互に表示させ、その切換えに同期して、シャッタ眼鏡の左右のシャッタを交互に開閉させることにより、立体映像を視聴させる立体映像制御装置であって、
立体映像を表示させるための映像信号を入力する入力手段と、
前記映像信号から右眼用映像及び左眼用映像を表示させるための輝度信号を生成して前記表示手段に出力する映像処理手段とを有し、
前記表示手段は、所定の垂直走査期間で、走査開始する走査ラインから走査終了する走査ラインまで、走査ラインを順次選択することにより画面上に映像を形成し、
前記映像処理手段は、前記走査開始する走査ライン及び前記走査終了する走査ラインの少なくとも何れかから所定数の走査ラインの該走査ライン上の画素の輝度を、各走査ラインの位置に応じて、前記所定数の走査ライン以外の走査ライン上の画素に対して、相対的に増加させるように前記映像信号を補正することを特徴とする。
【発明の効果】
【００１２】
本発明によれば、表示装置の画面領域に応じて映像信号を補正することにより、インパルス型表示装置と液晶シャッタメガネからなる立体映像視聴システムで生じる観測映像の画面内での輝度の不均一を抑制することができる。その結果、高品位な立体視を可能とする立体映像制御装置が提供される。
【図面の簡単な説明】
【００１３】
【図１】本発明に係る立体映像視聴システムのブロック図
【図２】本発明に係る映像処理回路のブロック図
【図３】垂直ラインカウンタ値と補正値又は輝度との関係を示す説明図
【図４Ａ】本発明に係る駆動パルスの波形を示すタイミングチャート
【図４Ｂ】本発明に係る駆動パルスの波形を示すタイミングチャート
【図５】本発明の実施例に係る動作のフローチャート
【図６】本発明の他の実施例に係る動作のフローチャート
【図７】本発明の他の実施例に係る動作のフローチャート
【図８】インパルス型表示装置での立体映像視聴に係る課題を説明するための説明図
【発明を実施するための形態】
【００１４】
以下、図面を用いて本発明の実施の形態について説明する。本発明は、概略すると、液晶シャッタ眼鏡のシャッタの立上り期間又は立下り期間における透過率不足分を表示装置側で補償することにある。即ち、立上り期間又は立下り期間に相当する期間に走査される垂直ライン上の画素の輝度を、その垂直ラインの位置又は走査の順番に応じて、その垂直ライン以外の垂直ライン上の画素の輝度に対して、相対的に単調増加させることにある。
また、立上り期間及び立下り期間の両方に相当する期間に走査される垂直ライン上の画素の輝度を、その垂直ラインの位置又は走査の順番に応じて、その垂直ライン以外の垂直ライン上の画素の輝度に対して、相対的に単調増加させてもよい。
【００１５】
（実施例１）
図１は、本発明に係る立体映像視聴システムのブロック図で、立体映像制御装置１、表示装置２及び液晶シャッタ眼鏡３からなる。
【００１６】
表示装置２は、インパルス型の表示装置で、表面伝導型電子放出ディスプレイパネル（以下、表示パネル）２０１と、表示パネルを駆動するためのＸドライバ２０３及びＹドライバ２０２とからなる。表示パネルの構成と製造法については、特開２０００−２５０４６３に詳しく開示されている。表示パネルは、マトリクス状に配置された複数の垂直ライン（走査ライン）と複数の水平ライン（信号ライン）により構成される複数の画素（１９２０×３×１０８０）を有する。表示パネルは、画面の最上部に位置して走査開始する垂直ラインから、画面の最下部に位置して走査終了する垂直ラインまで、画面の下方に向かって、垂直ラインを順次選択することにより画面上に映像を形成する。この線順次走査に同期して、水平ラインには、輝度信号に基く駆動パルスが並列的に印加される。線順次走査のフレームレート（リフレッシュレート）は１２０Ｈｚである。
【００１７】
立体映像制御装置１は、以下の構成からなる。入力回路１０１は、入力ソースから立体映像信号を入力して、映像信号及び垂直水平同期信号を出力する。入力ソースは、デジタルテレビ放送、インターネットを介した映像コンテンツ配信システム及びビデオプレイヤである。入力回路１０１は、デジタルチューナ及び入力インターフェイスを含んでいる。映像信号は、それぞれ（１９２０×１０８０）の解像度を有する右眼用映像信号と左眼用映像信号とからなり、フレーム毎に１２０Ｈｚで交互に切替る。
【００１８】
映像処理回路１０３は、映像信号の輝度レベルを調整するとともに、表示装置２の仕様に適合した輝度信号に変換してＸドライバ２０３へ出力する。Ｘドライバ２０３は、輝度信号に基いて、輝度レベルに対応した駆動パルスを生成し、表示パネル２０１をＰＷＭ（Ｐｕｌｓｅ  Ｗｉｄｔｈ  Ｍｏｄｕｌａｔｉｏｎ）駆動する。
【００１９】
タイミング制御回路１０４は、垂直水平同期信号に基いて、水平走査期間（１Ｈ）及び垂直走査期間（１Ｖ）を制御するタイミング信号をＹドライバ２０２に出力する。同期信号送信回路１０８は、タイミング制御回路１０４から出力された垂直同期信号から、赤外線通信により液晶シャッタ眼鏡３の左右シャッタの開閉を制御するための赤外線信号を送信する。また、ＭＰＵ（制御手段）１０５は、各ブロックを連携制御する。
【００２０】
液晶シャッタ眼鏡３は、赤外線信号を受信して、左右映像信号の切替りに同期した左右シャッタの開閉を行う。以下、液晶シャッタの開閉は、ノーマリホワイトモードにより動作するものとするが、ノーマリブラックモードでの動作も可能である。ノーマリブラックモードの場合は、液晶シャッタの立上りと立下りとの関係が逆になる。
【００２１】
図２は、映像処理回路１０３の輝度補正に係る部分のブロック図である。補正用ＬＵＴ２１７には、各垂直ラインに対する補正値が予め格納されている。垂直ラインカウンタ２１５は、垂直水平同期信号の垂直同期信号に基いて垂直ラインのカウントを開始させ、水平同期信号でカウントを進めることにより、垂直ラインの位置を特定する。垂直ラインの位置に対応した垂直ラインカウンタ値を補正用ＬＵＴ（ルックアップテーブル）２１７へ入力する。補正用ＬＵＴ２１７は、垂直ラインカウンタ値に対応した補正値を出力する。乗算器２１９は、各垂直ラインに対応した補正値を、各垂直ライン上の画素に対応した映像信号に乗算して、輝度信号を出力する。
【００２２】
補正値は、走査開始する垂直ラインから予め決められた所定数の垂直ラインに対して、その垂直ライン上の画素に対応した映像信号に各垂直ラインの位置に応じて輝度を、それ以外の垂直ライン上の画素に対して、相対的に増加させるように決められている。
【００２３】
図３（ａ）は、補正用ＬＵＴ２１７に格納されている補正値と垂直ラインカウンタ値との関係を示している。垂直ラインカウンタ値０〜２８０までの補正値を１．４３〜１．０と設定し、垂直ラインカウンタ値２８０〜１０８０までは補正値を１．０に設定する。
【００２４】
図３（ｂ）は、輝度レベル１００％（最大輝度）の輝度信号に対する表示パネル２０１の輝度と垂直ラインカウンタ値との関係を示している。設定された補正値に対応して、垂直ラインカウンタ値２８０から１０８０の輝度を３００ｃｄ／ｍ２とし、垂直ラインカウンタ値１の輝度は４２９ｃｄ／ｍ２となるように設定する。
【００２５】
図４Ａは、Ｘドライバ２０３及びＹドライバ２０２から出力される駆動パルスの波形を示している。Ｙドライバ２０２は、高さ−１０Ｖ、幅７．７μｓｅｃの走査パルスを垂直ライン（Ｙ１〜Ｙ１０８０）に順次出力する。Ｘドライバ２０３は、走査パルスに同期して各水平ライン（Ｘ１〜Ｘ５７６０）に信号パルスを並列的に印加する。信号パルスの高さは＋１０Ｖで、幅は輝度信号に対応して０から７．７μｓｅｃまで変化する。輝度レベル１００％の場合、Ｙ１に同期した信号パルスは、図８で説明した、シャッタ透過率３０％低下分を補償するため、パルス幅を最大の７．７μｓｅｃ（補正値１．４３）にする。Ｙ２〜Ｙ２７９に同期した信号パルスは、シャッタの応答波形に応じて、それぞれの垂直ラインに対して、駆動パルスの幅を７．７〜５．４μｓｅｃ（補正値１．４３〜１．０）に単調減少で可変させる。Ｙ２８０〜Ｙ１０８０に同期した信号パルスは、駆動パルスの幅を５．４μｓｅｃ（補正値１．０）とする。
補正値は、入力した映像信号の平均輝度レベル（ＡＰＬ）に基いて変更されてもよい。即ち、ＡＰＬが所定値以下の場合は、所定値より大きい場合に比べて、補正値を大きく設定し（例えば、１．４〜２．０）、画面全体の輝度を保持するようにしてもよい。このとき、パルス幅の最大を超える画素の輝度信号は、オーバーフロー処理により、輝度信号の最大値に制限する。
【００２６】
単調減少で補正値を変化させる垂直ラインのライン数は、シャッタの立上り期間に応じて決められる。補正値変化は、Ｙ１からＹ２８０まで直線で変化させているが、シャッタの立上り期間の透過率変化に応じた曲線で変化させてもよい。また、垂直走査期間内に設定される垂直ブランキング期間は、図８で示したように、シャッタの立下り期間に応じて決定される。
補正値を変化させる垂直ラインのライン数は、走査終了する垂直ラインから、シャッタの立下がり期間に応じて決めることもできる。このとき、液晶シャッタはノーマリブラックモードで動作し、シャッタの立上り期間は垂直ブランキング期間内に収まるように設定される。
さらに、補正値を変化させる垂直ラインのライン数は、走査開始する垂直ライン及び走査終了する垂直ラインの両方から、それぞれシャッタの立上り期間及び立下がり期間に応じて決めることもできる。このとき、シャッタの立上り期間と立下がり期間の両方が、垂直ブランキング期間内に収まらないように設定される。シャッタの立上り期間及び立下がり期間が、垂直ブランキング期間からはみ出して、映像表示期間に入り込んだ期間に相当するライン数の垂直ライン上の画素に対して輝度が補正される。
【００２７】
また、補正値を映像信号に演算して輝度信号を生成する処理では、乗算に代えて加算を用いてもよい。
【００２８】
また、インパルス型の表示装置としては、スピント型の電界放出ディスプレイパネルでもよい。
【００２９】
図５は、ＭＰＵ１０５の制御により実行される駆動処理のフローチャートである。垂直水平同期信号より垂直ラインカウンタ値を算出し、補正用ＬＵＴ２１７から各垂直ラインの補正値を読み出す（Ｓ５０１）。垂直ラインに応じた補正値を映像信号へ乗じる（Ｓ５０２）。補正された映像信号をＸドライバ２０５へ出力することにより、信号パルス幅を水平ライン毎に可変させる（Ｓ５０３）。駆動パルスを表示パネルに印加して、右眼用映像と左眼用映像とを時分割で表示する（Ｓ５０４）。
【００３０】
（実施例２）
本実施例に係る立体映像視聴システムでは、図１で示したブロック図で、立体映像制御装置１内にフレームメモリが追加される。フレームメモリは、映像処理回路１０３から出力される輝度信号を１フレーム分蓄積する。
【００３１】
図６のフローチャートに従って、立体映像視聴システムの動作を説明する。実施例１と同様に、垂直水平同期信号より垂直ラインカウンタ値を算出し、補正用ＬＵＴ２１７から補正値を読み出す（Ｓ６０１）。垂直ラインに応じた補正値を、乗算器２１９で映像信号に乗じる（Ｓ６０２）。
【００３２】
フレームメモリに、映像処理回路１０３から出力される輝度信号が１フレーム分書き込まれる（Ｓ６０３）。ＭＰＵ１０５は、蓄積された１フレーム分の輝度信号から、垂直ライン毎の最大輝度レベルを検出し、最高輝度レベルに応じて垂直ライン毎に水平走査期間（１Ｈ）を決定する。即ち、最高輝度レベルが高いときは１Ｈを長くし、最高輝度レベルが低いときは１Ｈを短くして、なおかつ１フレームの垂直走査期間は変えないように、各垂直ラインの１Ｈを１フレーム毎に調整する（Ｓ６０４）。
【００３３】
タイミング制御回路１０４は、ＭＰＵ１０５からの指示に基き、輝度データをフレームメモリより読み出して、各垂直ラインの１Ｈに同期してＸドライバ２０３へ出力する（Ｓ６０６）。さらにタイミング制御回路１０４は、垂直水平同期信号に基いて、垂直ライン毎の１Ｈに対応したタイミング信号をＹドライバ２０２へ出力する（Ｓ６０５）。垂直ライン毎に１Ｈが可変された状態で、駆動パルスが各ドライバから出力され、表示パネルが駆動される（Ｓ６０７）。タイミング制御回路１０４から同期信号出力回路１０８に出力される垂直同期信号は、垂直走査期間が一定であるので、実施例１同様に垂直水平同期信号より生成される。
【００３４】
図４Ｂは、駆動パルスの波形を示している。実施例１との違いは、垂直ライン毎に１Ｈが異なるので、走査パルス及び信号パルスの幅が垂直ライン毎に異なる点である（高さは一定で、それぞれ−１０Ｖ、＋１０Ｖである）。Ｙ１及びＹ２８０〜Ｙ１０８０に対しては輝度１００％の１Ｈが設定され、他の垂直ライン（Ｙ２〜Ｙ２７９）に対しては、輝度信号に応じた１Ｈが設定されたとする。設定された１Ｈに対して最大輝度信号が各水平ラインに入力した場合、Ｙ１に同期した信号パルスは幅を８．９μｓｅｃ（補正値１．４３）、Ｙ２８０〜１０８０に同期した信号パルスは幅を６．７μｓｅｃＶ（補正値１．０）とする。Ｙ２〜Ｙ２７９に同期した信号パルスは、垂直ラインに応じて幅を８．９〜６．７μｓｅｃ（補正値１．４３〜１．０）に変化させる。
【００３５】
実施例１と同様に、単調減少で補正値を変化させる垂直ラインのライン数は、シャッタの立上り期間に応じて決められる。また、補正値変化は、Ｙ１からＹ２８０まで直線で変化させているが、シャッタの立上り期間の透過率変化に応じた曲線で変化させてもよい。
【００３６】
図３（ｃ）は、輝度と垂直ラインカウンタ値２１６の関係を示している。入力した映像信号に応じて、各垂直ラインの１Ｈが調整されることにより、１フレームの画像全体の輝度レベルが上昇する。補正値１倍の輝度値が３６０ｃｄ／ｍ２、補正値１．４３倍の輝度値が５１５ｃｄ／ｍ２となる。
【００３７】
（実施例３）
実施例１では、Ｘドライバ２０３が輝度信号に応じて幅を変化させた信号パルスを出力することによって、表示パネル２０１はＰＷＭ駆動されていた。それに対して本実施例では、Ｘドライバ２０３が輝度信号に応じて高さを変化させた信号パルスを出力することによって、表示パネル２０１をＰＨＭ（Ｐｕｌｓｅ  Ｈｅｉｇｈｔ  Ｍｏｄｕｌａｔｉｏｎ）駆動するものである。
【００３８】
Ｙドライバ２０２は、高さ−１０Ｖ、幅７．７μｓｅｃの走査パルスを、各垂直ラインに順次印加する。Ｘドライバ２０３は、走査パルスに同期して各水平ラインに幅が一定（５．４μｓｅｃ）で、輝度信号に応じた高さ（０Ｖ〜１０Ｖ）の信号パルスを並列的に印加する。
【００３９】
輝度１００％の場合、Ｙ１に同期した信号パルスは高さを１０Ｖ（補正値１．４３）、Ｙ２８０〜１０８０に同期した信号パルスは高さを８Ｖ（補正値１．０）とする。Ｙ２〜Ｙ２７９に同期した信号パルスは、垂直ラインに応じて高さを１０Ｖ〜８Ｖ（補正値１．４３〜１．０）に変化させる（補正値の変化は単調減少）。
【００４０】
即ち、本発明は、ＰＨＭ駆動でも適用可能である。
【００４１】
（他の実施例）
また、別の実施形態として、ＰＷＭ駆動とＰＨＭ駆動とを組み合わせて表示パネル２０１を駆動することも可能である。
【００４２】
また、映像信号に補正値を乗算した輝度信号をＸドライバ２０３に入力させるかわりに、Ｙドライバ２０２から出力した走査パルスの高さを補正することも可能である。即ち、走査パルスの高さを、補正値に応じて、垂直ライン毎にレベルシフトさせてもよい。輝度１００％の場合、Ｙドライバ２０２から出力した走査パルスの高さ（−８Ｖ）は、Ｙ１では−１０Ｖ、Ｙ２〜Ｙ２７９は−１０Ｖ〜−８Ｖで単調減少させ、Ｙ２８０〜１０８０は−８Ｖにそれぞれシフトされる。
【００４３】
さらに、本発明においては、入力映像信号が立体映像表示（３Ｄ）用か非立体映像表示（２Ｄ）用かを判別して、映像処理回路１０３での信号処理を、３Ｄ用と２Ｄ用とを互いに切換えることもできる。図７は、入力映像信号に応じた映像制御装置１の動作を示すフローチャートである。
【００４４】
入力映像信号が３Ｄ用か２Ｄ用かを判定する（Ｓ７０１）。入力ソースがデジタル放送の場合は、予め取得している番組情報を参照して、選択した番組が３Ｄ番組か否かを判別することができる。他の入力ソースの場合は、ビデオストリームのヘッダ情報を参照して判別することができる。
【００４５】
入力映像信号が３Ｄ用の場合は、ＭＰＵ１０５の指示に基いて、映像処理回路１０３の信号処理を３Ｄ用に設定し、図３（ａ）で示した垂直ラインに応じた補正値（１．４３〜１．０）を映像信号に乗じて輝度信号を出力する処理を行う（Ｓ７０３）。
【００４６】
入力映像信号が２Ｄ用の場合は、ＭＰＵ１０５の指示に基いて、映像処理回路１０３の信号処理を２Ｄ用に設定し、同一の補正値（１．４３）を１フレーム分の映像信号に乗じて輝度信号を出力する処理を行う（Ｓ７０２）。入力映像信号が２Ｄ用の場合は、補正値を乗算せずに輝度信号を生成してもよい。
【００４７】
それぞれの輝度信号に基いて、信号パルスの幅を水平ライン毎に設定する（Ｓ７０４）。３Ｄ用、２Ｄ用の設定された駆動パルスで表示パネルを駆動する（Ｓ７０５）。
【００４８】
以上のように、入力映像信号が３Ｄ用の場合は、均一な輝度の観測映像を視聴することができ、２Ｄ用の場合は、画面全体の輝度が適正化された表示映像を視聴することができる。
【００４９】
本発明は上記実施の形態に制限されるものではなく、本発明の精神及び範囲から離脱することなく、様々な変更及び変形が可能である。従って、本発明の範囲を公にするために以下の請求項を添付する。
【符号の説明】
【００５０】
１  立体映像制御装置
２  表示装置
３  液晶シャッタ眼鏡
１０１  入力回路
１０３  映像処理回路
１０４  タイミング制御回路
１０５  ＭＰＵ
【図１】
2011108310.tif 000003
【図２】
2011108310.tif 000004
【図３】
2011108310.tif 000005
【図４Ａ】
2011108310.tif 000006
【図４Ｂ】
2011108310.tif 000007
【図５】
2011108310.tif 000008
【図６】
2011108310.tif 000009
【図７】
2011108310.tif 000010
【図８】
2011108310.tif 000011
【国際調査報告】
2011108310.tif 000012
2011108310.tif 000013
2011108310.tif 000014